(57)【要約】【課題】電子機器において、未使用時は筐体内に収納して破損の危険性を低くしながら、使用時にクリック感が得られるタッチキー装置を提供する。【解決手段】重ねた状態から他の形態に変化自在な二つの筐体１・２を備え、その一方の筐体１に、両筐体１・２を重ねた状態で外部から覆われて他の形態に変化させることで外部に露呈されるキー部４が設けられた電子機器であって、他方の筐体２に内蔵されたタッチキー６を備える。その他方の筐体２に、両筐体１・２を重ねた状態から他の形態に変化させてキー部４を露呈させた状態で、タッチキー６を当該筐体２から引き出し自在とする取出部８を設ける。前記一方の筐体１には、取出部８から引き出したタッチキー６がキー部４上を覆う状態で当該タッチキー６を固定する固定部９を設ける。【選択図】図１
2008250420.tif 000002
【特許請求の範囲】
【請求項１】
重ねた状態から他の形態に変化自在な二つの筐体を備え、その一方の筐体に、両筐体を重ねた状態で外部から覆われて他の形態に変化させることで外部に露呈されるキー部が設けられた電子機器であって、
他方の筐体に内蔵されたタッチキーを備え、
前記他方の筐体に、前記両筐体を重ねた状態から他の形態に変化させて前記キー部を露呈させた状態で、前記タッチキーを当該筐体から引き出し自在とする取出部を設け、
前記一方の筐体には、前記取出部から引き出した前記タッチキーが前記キー部上を覆う状態で当該タッチキーを固定する固定部を設けたことを特徴とする電子機器のタッチキー装置。
【請求項２】
前記タッチキーに、フレキシブル表示装置が一体的に形成されていることを特徴とする請求項１に記載の電子機器のタッチキー装置。
【請求項３】
前記他方の筐体には、前記タッチキーが内蔵された状態で、前記フレキシブル表示装置に対応する表示部が設けられていることを特徴とする請求項２に記載の電子機器のタッチキー装置。
【請求項４】
前記他方の筐体には、メイン表示装置が内蔵されるとともに、このメイン表示装置に対応するメイン表示部が一面に設けられ、このメイン表示部とは反対側の面に前記フレキシブル表示装置に対応するサブ表示部が設けられていることを特徴とする請求項３に記載の電子機器のタッチキー装置。
【請求項５】
前記両筐体を重ねた状態から他の形態に変化させて前記キー部を全て外部に露呈させた状態で前記取出部からの前記タッチキーの引き出しを可能としたことを特徴とする請求項１から４のいずれか一項に記載の電子機器のタッチキー装置。
【請求項６】
前記取出部から前記タッチキーが最終位置まで引き出された状態を検知する検知手段を備え、
この検知手段により前記取出部から前記タッチキーが前記最終位置まで引き出された状態を検知している状態で当該タッチキーの入力が有効とされることを特徴とする請求項５に記載の電子機器のタッチキー装置。
【請求項７】
前記取出部から前記タッチキーが前記最終位置まで引き出された状態で、前記固定部により当該タッチキーが固定されることを特徴とする請求項５または６に記載の電子機器のタッチキー装置。
【請求項８】
前記タッチキーの前記他方の筐体に内蔵される先端部には、当該筐体内での引き出し動作及び引き込み動作をガイドするガイド部材が設けられていることを特徴とする請求項１から７のいずれか一項に記載の電子機器のタッチキー装置。
【請求項９】
前記両筐体を折り畳み自在に結合するヒンジ部を備え、
前記両筐体を折り畳んだ状態から前記ヒンジ部により相対的に回転させて開いた状態で、前記取出部から前記タッチキーが引き出されることを特徴とする請求項１から８のいずれか一項に記載の電子機器のタッチキー装置。
【請求項１０】
前記両筐体をスライド自在に結合するスライド部を備え、
前記両筐体を重ねて前記キー部が覆われた状態から前記スライド部により相対的にスライドさせて前記キー部が外部に露呈された状態で、前記取出部から前記タッチキーが引き出されることを特徴とする請求項１、２、５から８のいずれか一項に記載の電子機器のタッチキー装置。
【発明の詳細な説明】
【技術分野】
【０００１】
本発明は、電子機器のタッチキー装置に関する。
【背景技術】
【０００２】
タッチスイッチ付き電子腕時計として、裏面にタッチ電極が形成された時計ガラスを上部ケースに設け、この上部ケースを開いて、時計バンド上面の、タッチ電極の機能を表示する印字部の上に、時計ガラスのタッチ電極を対応させて配置したものがある（特許文献１参照）。
また、ノート型ＰＣにおいて、キーボード及びマウスの下部に設けられたケース内の収納部にタブレットを内蔵させ、その収納部よりタブレットを引き出し自在として使用できるようにしたものがある（特許文献２参照）。
【特許文献１】実公平４−２８０７７号公報
【特許文献２】特開平１１−２８２６０７号公報
【発明の開示】
【発明が解決しようとする課題】
【０００３】
しかし、特許文献１は、必要な時だけタッチ電極を出すことができるものであるが、時計ガラスにタッチ電極を形成しているため、クリック感が全く得られないものであった。また、タッチ電極は、使用時に外部に設けられているため、破損する危険性が高いものであった。
また、特許文献２のタブレットは、内蔵されているため、破損する危険性は低くなっているが、クリック感が全く得られないものであった。
【０００４】
本発明の課題は、電子機器において、未使用時は筐体内に収納して破損の危険性を低くしながら、使用時にクリック感が得られるタッチキー装置を提供することである。
【課題を解決するための手段】
【０００５】
以上の課題を解決するため、請求項１に記載の発明は、重ねた状態から他の形態に変化自在な二つの筐体を備え、その一方の筐体に、両筐体を重ねた状態で外部から覆われて他の形態に変化させることで外部に露呈されるキー部が設けられた電子機器であって、他方の筐体に内蔵されたタッチキーを備え、前記他方の筐体に、前記両筐体を重ねた状態から他の形態に変化させて前記キー部を露呈させた状態で、前記タッチキーを当該筐体から引き出し自在とする取出部を設け、前記一方の筐体には、前記取出部から引き出した前記タッチキーが前記キー部上を覆う状態で当該タッチキーを固定する固定部を設けたタッチキー装置を特徴とする。
【０００６】
請求項２に記載の発明は、請求項１に記載の電子機器のタッチキー装置であって、前記タッチキーに、フレキシブル表示装置が一体的に形成されていることを特徴とする。
【０００７】
請求項３に記載の発明は、請求項２に記載の電子機器のタッチキー装置であって、前記他方の筐体には、前記タッチキーが内蔵された状態で、前記フレキシブル表示装置に対応する表示部が設けられていることを特徴とする。
【０００８】
請求項４に記載の発明は、請求項３に記載の電子機器のタッチキー装置であって、前記他方の筐体には、メイン表示装置が内蔵されるとともに、このメイン表示装置に対応するメイン表示部が一面に設けられ、このメイン表示部とは反対側の面に前記フレキシブル表示装置に対応するサブ表示部が設けられていることを特徴とする。
【０００９】
請求項５に記載の発明は、請求項１から４のいずれか一項に記載の電子機器のタッチキー装置であって、前記両筐体を重ねた状態から他の形態に変化させて前記キー部を全て外部に露呈させた状態で前記取出部からの前記タッチキーの引き出しを可能としたことを特徴とする。
【００１０】
請求項６に記載の発明は、請求項５に記載の電子機器のタッチキー装置であって、前記取出部から前記タッチキーが最終位置まで引き出された状態を検知する検知手段を備え、この検知手段により前記取出部から前記タッチキーが前記最終位置まで引き出された状態を検知している状態で当該タッチキーの入力が有効とされることを特徴とする。
【００１１】
請求項７に記載の発明は、請求項５または６に記載の電子機器のタッチキー装置であって、前記取出部から前記タッチキーが前記最終位置まで引き出された状態で、前記固定部により当該タッチキーが固定されることを特徴とする。
【００１２】
請求項８に記載の発明は、請求項１から７のいずれか一項に記載の電子機器のタッチキー装置であって、前記タッチキーの前記他方の筐体に内蔵される先端部には、当該筐体内での引き出し動作及び引き込み動作をガイドするガイド部材が設けられていることを特徴とする。
【００１３】
請求項９に記載の発明は、請求項１から８のいずれか一項に記載の電子機器のタッチキー装置であって、前記両筐体を折り畳み自在に結合するヒンジ部を備え、前記両筐体を折り畳んだ状態から前記ヒンジ部により相対的に回転させて開いた状態で、前記取出部から前記タッチキーが引き出されることを特徴とする。
【００１４】
請求項１０に記載の発明は、請求項１、２、５から８のいずれか一項に記載の電子機器のタッチキー装置であって、前記両筐体をスライド自在に結合するスライド部を備え、前記両筐体を重ねて前記キー部が覆われた状態から前記スライド部により相対的にスライドさせて前記キー部が外部に露呈された状態で、前記取出部から前記タッチキーが引き出されることを特徴とする。
【発明の効果】
【００１５】
本発明によれば、未使用時はタッチキーを筐体内に収納できて破損の危険性を低くでき、しかも、使用時にはクリック感が得られるタッチキーにすることができる。
【発明を実施するための最良の形態】
【００１６】
以下、図を参照して本発明を実施するための最良の形態を詳細に説明する。
（実施形態１）
図１から図３は本発明を適用した電子機器の実施形態１の構成として折り畳み式携帯電子機器を示したもので、１は操作部筐体、２は表示部筐体、３はヒンジ部、４はキー部、５はメイン表示装置、６はタッチキー、７はＦＰＣ、８は取出部、９は固定部、１０はサブ表示装置である。
【００１７】
この実施形態１は、折り畳み式携帯電子機器において、表示部筐体２内にタッチキー６を収納しておき、そのタッチキー６をスライドさせて操作部筐体１のキー部４上に引き出せるようにすることで、通常のテンキー・カーソルキーなどのキー部４を用いたキー操作と、手書き入力などタッチキー６を用いたタッチ操作のいずれかを状況によって選ぶことができるようにするものである。
しかも、タッチキー６として両面から表示を見ることのできるフレキシブル表示装置を用い、タッチキー６を使用せずに表示部筐体２内に収納している時は、サブ表示装置１０による背面ディスプレイとして使用できるようにするものである。
【００１８】
すなわち、操作部筐体１と表示部筐体２をヒンジ部３で結合して、操作部筐体１にキー部４を設け、表示部筐体２に例えばＬＣＤ（液晶ディスプレイ）によるメイン表示装置５を設けた折り畳み式携帯電子機器において、図示のように、表示部筐体２にタッチキー６が内蔵されている。このタッチキー６はフレキシブル表示装置と一体成形されたもので、ＦＰＣ（フレキシブルプリント基板）７を介してメイン表示装置５の制御基板に接続されている。
【００１９】
そして、表示部筐体２のヒンジ部３側の端部には、タッチキー６を引き出すためのスリット状の取出部８が形成されている。また、操作部筐体１のヒンジ部３と反対側の端部には、取出部８から引き出してキー部４上に重ねられたタッチキー６を固定するための一段上がった突片状の固定部９が左右一対形成されている。
【００２０】
さらに、表示部筐体２の背面には、サブ表示装置１０が設けられている。このサブ表示装置１０は、表示部筐体２に収納状態のタッチキー６と一体のフレキシブル表示装置の一部の表示駆動により、例えば図２（ｂ）に示すように、両筐体１・２の折り畳み状態において、例えば時刻表示などが表示される。
【００２１】
図３（ａ）は、両筐体１・２を開いた状態を示したものである。まず、図３（ａ）は、通常のテンキー・カーソルキーなどの押し釦式のキー部４の使用可能状態を示している。
また、図３（ｂ）は、表示部筐体２の取出部８からタッチキー６を引き出してキー部４上に重ねて、タッチキー６の先端部を操作部筐体２の固定部９により固定した状態を示している。
【００２２】
そして、図３（ｃ）は、タッチキー６をタッチパッドとして使用する手書き入力例を示している。図示例は「あ」の手書き入力を示したもので、その手書き入力文字「あ」は、図示のように、メイン表示装置５の表示画面に入力文字情報として表示される。ここで、タッチキー６は、その下のキー部４のテンキーに対応する部分が、四隅に鉤括弧１１が表示されたタッチパッド１２として機能し、キー部４のカーソルキーに対応する部分に、変換キー１３及び決定キー１４が表示されている。
【００２３】
また、図３（ｄ）は、タッチキー６をマウス感覚で使用する歩行ナビゲーション例を示している。図示例のように、タッチキー６での方向キーや決定キーによる選択操作に応じて、メイン表示装置５の表示画面に、目的地等の地図情報が表示される。ここで、タッチキー６は、その下のキー部４のテンキーに対応する部分の四隅に表示された鉤括弧１１で囲まれた中央に十字キー（方向キー）１５が表示されて、キー部４のカーソルキーに対応する部分に、拡大キー１６及び縮小キー１７が表示されている。
【００２４】
このように、タッチキー６を押し釦式のキー部４の上に配置することにより、キー部４の各キーによるクリック感のあるタッチキー６を実現できる。
しかも、未使用時はタッチキー６を表示部筐体２内に収納するので、破損の危険性を低くできる。
また、必要な時だけタッチキー６を引き出すので、便利である。
そして、サブ表示装置１０による背面ディスプレイと共用のタッチキー６なので、操作部筐体２にタッチキー６のために新たに収納スペースを設ける必要がなく、折り畳み式携帯電子機器の小型・薄型化が可能である。
また、背面ディスプレイがない機種では、タッチキー６の収納により筐体の体積をほとんど変えずに背面ディスプレイを追加できる。
【００２５】
（実施形態２）
図４から図８は本発明を適用した電子機器の実施形態２の構成として折り畳み式携帯電子機器を示したもので、前述した実施形態１と同様、１は操作部筐体、２は表示部筐体、３はヒンジ部、４はキー部、５はメイン表示装置、６はタッチキー、７はＦＰＣ、８は取出部、９は固定部、１０はサブ表示装置、１１は鉤括弧、１２はタッチパッドであって、１８は蓋、１９はロッド、２０は凹段部、２１はマイクロスイッチ、２２はガイドシャフト、２３はガイド溝、２４はサブ表示窓、２５は透明板、２６はＥＬシート、３１はヒンジシャフトである。
【００２６】
すなわち、実施形態２は、前述した実施形態１における具体的構造例を示したもので、図４から図６に示すように、表示部筐体２のヒンジ部３側の端部に形成され、タッチキー６を引き出すためのスリット状の取出部８には、合致する形状の蓋１８が設けられ、この蓋１８に、タッチキー６の先端部中央に固定したロッド１９が固定されている。そして、表示部筐体２のヒンジ部３側端部の中央には凹段部２０が形成されており、この凹段部２０に指先を入れて蓋１８を手前下に倒して取出部８から引き出すことができる。なお、操作部筐体１の左右一対の固定部９の少なくとも一方の下部には、マイクロスイッチ２１が設けられている。
【００２７】
また、タッチキー６の表示部筐体２内に位置する基端部上には、ＦＰＣ７の端部を挟んでガイドシャフト２２が固定されている。このガイドシャフト２２の両端部は、表示部筐体２内に形成した左右一対のガイド溝２３にスライド自在に係合している。具体的には、表示部筐体２は、下ケース２ａ、上ケース２ｂ、中ケース２ｃを合体して構成され、図７に示すように、下ケース２ａ及び中ケース２ｃにより形成される左右一対のガイド溝２３に、ガイドシャフト２２両端部に形成された小径部２２ａが係合している。ここで、ガイドシャフト２２は、図５（ｃ）に示すように、ヒンジ部３のヒンジシャフト３１の大径部３２に突き当たることで、タッチキー６の引き出し状態での抜け止めが図られている。
【００２８】
さらに、タッチキー６と一体のフレキシブル表示装置の一部の表示駆動によるサブ表示装置１０は、図５に示すように、下ケース２ａに形成したサブ表示窓２４に位置している。このサブ表示窓２４に透明板２５が取り付けられている。また、サブ表示窓２４の周囲等には、ＥＬ（エレクトロ・ルミネッセンス）シート２６が設けられている。すなわち、下ケース２ａ内には、サブ表示窓２４の周囲からタッチキー６の収納状態でのガイドシャフト２２を囲む端部までにわたり、ＥＬシート２６が貼り付けられている。このＥＬシート２６は、タッチキー６と一体のフレキシブル表示装置を照光する照明として機能し、夜間など外光がない場合でもサブ表示窓２４からサブ表示装置１０が見えるようにできる。
【００２９】
図４（ａ）、図５（ａ）、図６（ａ）の折り畳み式携帯電子機器を開いたキー部使用可能状態において、表示部筐体２のヒンジ部３側端部中央の凹段部２０に指先を入れて蓋１８を手前下に倒すことで、取出部８から蓋１８を引き出すことができる。従って、蓋１８にロッド１９を介して連結されたタッチキー６を、図４（ｂ）、図５（ｂ）、図６（ｂ）に示すように引き出せる。
さらに、タッチキー６を引き出して、図４（ｃ）に示すように、引き出したタッチキー６をキー部４上に重ねて、蓋１８の左右両端部を操作部筐体２の固定部９の下に挿入することで、タッチキー６の引き出した状態に保持できる。このとき、固定部９の下部のマイクロスイッチ２１が蓋１８により押されてオンとなる。また、図５（ｃ）、図６（ｃ）に示したように、ガイドシャフト２２がヒンジシャフト３１の大径部３２に突き当たって、タッチキー６の引き出し状態での抜け止めがなされる。
【００３０】
なお、固定部９下から蓋１８を抜いて、表示部筐体２内にタッチキー６を再収納する際は、蓋１８を持ってタッチキー６を押すことで、タッチキー６の表示部筐体２内に位置する基端部上のガイドシャフト２２の両端部が、表示部筐体２内の左右一対のガイド溝２３にスライドしながら行われる。このような再収納を迅速に行うため、リターンスプリングやその他のリターン機構等を組み込んでも良い。
【００３１】
図９はマイクロスイッチ２１のオン／オフに応じたキー入力処理を示したフローチャートである。
すなわち、折り畳み式携帯電子機器に内蔵された図略の制御回路上の信号処理において、マイクロスイッチ２１のオン／オフが監視（ステップＳ１）され、オフであればキー部４のストロークキー有効（タッチキー無効）の制御信号が出力（ステップＳ２）され、オンであればタッチキー６の有効（ストロークキー無効）の制御信号が出力（ステップ２３）される。そして、制御信号に応じたキー入力処理（ステップＳ４が行われ）、続いてアプリケーションに従った処理（ステップＳ５）が行われた後、入力が終了か否かが監視（ステップＳ６）される。すなわち、終了でなければステップＳ１に戻って以上の処理が繰り返され、終了であれば処理を終える。
【００３２】
なお、図１０はキー部４とタッチキー６の入力処理例を示した図表である。
【００３３】
以上、実施形態２のタッチキー装置によっても、前述した実施形態１と同様の効果が得られる。
【００３４】
（実施形態３）
図１１から図１３は本発明を適用した電子機器の実施形態３の構成としてスライド式携帯電子機器を示したもので、１０１は操作部筐体、１０２は表示部筐体、１０３はスライド部、１０４Ａはテンキー部、１０４Ｂはカーソルキー部、１０５は表示装置、１０６はタッチキー、１０７はＦＰＣ、１０８は取出部、１０９は固定部、１１１は鉤括弧、１１２はタッチパッド、１１８は蓋、１１９はロッド、１２０は凹段部、１２２はガイドシャフトである。
【００３５】
この実施形態３では、操作部筐体１０１と表示部筐体１０２をスライド部１０３でスライド自在に結合して、操作部筐体１０１にテンキー部１０４Ａを設け、表示部筐体１０２にカーソルキー部４Ｂ及び表示装置５を設けたスライド式携帯電子機器において、図示のように、表示部筐体１０２にタッチキー１０６が内蔵されている。このタッチキー１０６はフレキシブル表示装置と一体成形されたもので、ＦＰＣ１０７を介して表示装置１０５の制御基板に接続されている。
【００３６】
そして、表示部筐体１０２のスライド部１０３側の端部には、タッチキー１０６を引き出すためのスリット状の取出部１０８が形成されている。また、操作部筐体１０１のスライド部１０３と反対側の端部には、取出部１０８から引き出してテンキー部１０４Ａ上に重ねられたタッチキー１０６を固定するための一段上がった突片状の固定部１０９が左右一対形成されている。
【００３７】
なお、図１１（ｃ）に示すように、引き出した状態のタッチキー１０６は、その下のテンキー部１０４Ａに対応する部分が、四隅に鉤括弧１１１が表示されたタッチパッド１１２として機能し、カーソルキー部１０４Ｂに変換キー及び決定キーが割り当てられる。
【００３８】
さらに、表示部筐体１０２のスライド部１０３側の端部に形成され、タッチキー１０６を引き出すためのスリット状の取出部１０８には、合致する形状の蓋１１８が設けられ、この蓋１１８に、タッチキー１０６の先端部に固定したロッド１１９が固定されている。そして、表示部筐体１０２のスライド部１０３側端部の中央には凹段部１２０が形成されており、この凹段部１２０に指先を入れて蓋１１８を手前下に倒して取出部１０８から引き出すことができる。
【００３９】
また、タッチキー１０６の表示部筐体１０２内に位置する基端部上には、ＦＰＣ１０７の端部を挟んでガイドシャフト１２２が固定されている。このガイドシャフト１２２の両端部は、表示部筐体１０２内に形成した左右一対のガイド溝（図略）にスライド自在に係合している。ここで、ガイドシャフト１２２は、図１２（ｂ）、図１３（ｂ）に示すように、スリット状の取出部１０８の内面にＦＰＣ１０７が突き当たることで、タッチキー１０６の引き出し状態での抜け止めが図られている。
【００４０】
以上、実施形態３のタッチキー装置によっても、サブ表示装置を持たない点を除き、前述した実施形態１、実施形態２と同様の作用効果が得られる。
【００４１】
なお、以上の実施形態においては、携帯電子機器としたが、本発明はこれに限定されるものではなく、携帯型に限らず、ノート型ＰＣ等、他の電子機器であっても良い。
また、その他、具体的な細部構造等についても適宜に変更可能であることは勿論である。
【図面の簡単な説明】
【００４２】
【図１】本発明を適用した電子機器の実施形態１の構成を示すもので、折り畳み式携帯電子機器を開いてキー部使用可能状態を示した一部破断側面図（ａ）と、タッチキー使用可能状態を示した一部破断側面図（ｂ）である。
【図２】図１の折り畳み式携帯電子機器を折り畳んだ状態を示した一部破断側面図（ａ）と、折り畳み状態でサブ表示の表示例を示した斜視図（ｂ）である。
【図３】図１のキー部使用可能状態を示した斜視図（ａ）と、タッチキーを引き出した状態を示した斜視図（ｂ）と、タッチキーをタッチパッドとして使用する手書き入力例を示した斜視図（ｃ）と、タッチキーをマウス感覚で使用する歩行ナビゲーション例を示した斜視図（ｄ）である。
【図４】本発明を適用した電子機器の実施形態２の構成を示すもので、折り畳み式携帯電子機器を開いてキー部使用可能状態を示した斜視図（ａ）と、タッチキーを引き出し始めた状態を示した斜視図（ｂ）と、タッチキーの引き出し状態を示した斜視図（ｃ）である。
【図５】図４に対応して、タッチキーの筐体内への収納状態を示した断面図（ａ）と、タッチキーを引き出し始めた状態を示した断面図（ｂ）と、タッチキーの引き出し状態を示した断面図（ｃ）である。
【図６】図４及び図５に対応して、タッチキーの筐体内への収納状態を示したヒンジ部周りの破断斜視図（ａ）と、タッチキーを引き出し始めた状態を示したヒンジ部周りの破断斜視図（ｂ）と、タッチキーの引き出し状態を示したヒンジ部周りの破断斜視図（ｃ）である。
【図７】図５（ｂ）の矢印Ａ−Ａ線で破断した斜視図である。
【図８】図５（ａ）のサブ表示部周りの詳細構造を示した破断斜視図である。
【図９】図４のマイクロスイッチのオン／オフに応じたキー入力処理を示したフローチャートである。
【図１０】キー部とタッチキーの入力処理例を示した図表である。
【図１１】本発明を適用した電子機器の実施形態３の構成を示すもので、スライド式携帯電子機器の筐体を重ねた合わせた状態を示した斜視図（ａ）と、筐体をスライドさせてキー部使用可能状態を示した斜視図（ｂ）と、タッチキーの引き出し状態を示した斜視図（ｃ）である。
【図１２】図１１（ｂ）のキー部使用可能状態の筐体重なり部を示した断面図（ａ）と、図１１（ｃ）のタッチキー引き出し状態の筐体重なり部を示した断面図（ｂ）である。
【図１３】図１２に対応して、キー部使用可能状態の筐体重なり部を示した破断斜視図（ａ）と、タッチキー引き出し状態の筐体重なり部を示した破断斜視図（ｂ）である。
【符号の説明】
【００４３】
１  操作部筐体
２  表示部筐体
３  ヒンジ部
４  キー部
５  メイン表示装置
６  タッチキー
７  ＦＰＣ
８  取出部
９  固定部
１０  サブ表示装置
１１  鉤括弧
１２  タッチパッド
１３  変換キー
１４  決定キー
１５  十字キー
１６  拡大キー
１７  縮小キー
１８  蓋
１９  ロッド
２０  凹段部
２１  マイクロスイッチ
２２  ガイドシャフト
２３  ガイド溝
２４  サブ表示窓
２５  透明板
２６  ＥＬシート
３１  ヒンジシャフト
１０１  操作部筐体
１０２  表示部筐体
１０３  スライド部
１０４Ａ  テンキー部
１０４Ｂ  カーソルキー部
１０５  表示装置
１０６  タッチキー
１０７  ＦＰＣ
１０８  取出部
１０９  固定部
１１１  鉤括弧
１１２  タッチパッド
１１８  蓋
１１９  ロッド
１２０  凹段部
１２２  ガイドシャフト
【図１】
2008250420.tif 000003
【図２】
2008250420.tif 000004
【図３】
2008250420.tif 000005
【図４】
2008250420.tif 000006
【図５】
2008250420.tif 000007
【図６】
2008250420.tif 000008
【図７】
2008250420.tif 000009
【図８】
2008250420.tif 000010
【図９】
2008250420.tif 000011
【図１０】
2008250420.tif 000012
【図１１】
2008250420.tif 000013
【図１２】
2008250420.tif 000014
【図１３】
2008250420.tif 000015